(57)【要約】【課題】病室の大部屋や介護・養護施設の多床室のベッド間に設置する間仕切家具において、間仕切家具で仕切られた一方側空間の明るさを抑えつつ、他方側空間を明るくする、使い勝手の良い間仕切家具を提供することを課題とする。【解決手段】左右方向に延びる前後一対に形成された天板と、該天板の左右両端部にそれぞれ配置された板状の脚体と、前記前後一対の天板の上方の空間に配設され、天板を前後に仕切る上部仕切壁と、天板の下方の空間に配設され、空間を前後に仕切る下部仕切壁で形成された間仕切家具の上部仕切壁の上部に光を採り入れる採光口を設け、上部仕切壁の鉛直面に採光口からとり入れられた光をベッド空間に照射する投光部を設ける。【選択図】図２
2012231990.tif 000002
【特許請求の範囲】
【請求項１】
室内に複数台配設されたベッド間に設置され、ベッド間を仕切る方向に立設する上仕切壁を備えた間仕切家具において、上仕切壁の上部に光を採り入れる採光口を備え、ベッドに面する上仕切壁の一面に、採光口から採り入れられた光をベッド側に照射する投光部を採光口とは別個に備えるとともに、上仕切壁の内部に採光部と投光部をつなぐ光伝達部を備え、採光口から採り入れられた光が、光伝達部をとおして投光部からベッド空間に照射される事を特徴とする間仕切家具。
【請求項２】
室内に複数台配設されたベッド間に設置され、ベッド間を仕切る方向に立設する上仕切壁を備えた間仕切家具において、上仕切壁の上部に光を採り入れる採光口を備え、ベッドに面する上仕切壁の両面に、採光口から採り入れられた光をベッド側に照射する投光部を採光口とは別個に備えるとともに、上仕切壁の内部に採光口と投光部をつなぐ光伝達部を備え、採光口から採り入れられた光が、光伝達部をとおして投光部からそれぞれのベッド空間に照射される照射量を一方側より他方側が多くなるようにした事を特徴とする間仕切家具。
【請求項３】
光伝達部に、採光口より採り入れられた光を受け投光部側に反射させる反射板を備えたことを特徴とする請求項１、又は、請求項２に記載の間仕切家具。
【請求項４】
採光口に、光を集める集光装置を備えた事を特徴とする請求項１、又は、請求項２、又は、請求項３に記載の間仕切家具。
【請求項５】
病室の外部の光を採り入れ、該光を伝達し、伝達した光を採光口に照射する光伝達装置を備えた事を特徴とする請求項１、又は、請求項２、又は、請求項３に記載の間仕切家具。
【発明の詳細な説明】
【技術分野】
【０００１】
本発明は、病室の大部屋や介護・養護施設の多床室のベッド間に設置する間仕切家具に関する。
【背景技術】
【０００２】
病室などの大部屋に収容された患者のプライバシー空間を形成するため、大部屋に複数配置されたベッドの間に、間仕切家具を設置する方法が知られている。  
【０００３】
通常、大部屋は、平面視略四角形を成した部屋であって、部屋の一壁面が、病院内の廊下側に面して形成され、該壁面の略中央に引戸式出入口扉が設けられ、該壁面の対向側の壁面に建屋外を臨む窓が設置される。
【０００４】
そして、この部屋は、出入口扉から窓側に向って設定された通路により二分され、二分された病室の一方の廊下側に、廊下側壁面と平行にベッドが配置され、窓側に、窓側壁面と平行にベッドが配置され、通路を挟む対向側にも、同様な方向でベッドが配置され、合計で４台のベッドが配置され４床室とされる。
【０００５】
そして、窓側に配置されたベッドと廊下側に配置されたベッドとの間に、ベッドと平行に間仕切家具が設置され、各々のベッド空間のプライバシーが確保されている。
このような、ベッド間に設置される間仕切家具は、一般的に、仕切壁部と収納体そしてテーブル用天板を備えており、仕切壁部には、採光板が嵌め込まれている。
【０００６】
採光板は、一方（間仕切家具が設置された病室の明るい方のベッド空間、例えば窓側のベッド空間）側からの光を他方（間仕切家具が設置された病室の暗い方のベッド空間、例えば廊下側のベッド空間）側に透過させるとともに、プライバシーが保たれるよう、半透明の素材ものが採用されることが多い。（例えば、特許文献１参照。）
【先行技術文献】
【特許文献】
【０００７】
【特許文献１】特開２００５−２１８７０１号公報
【発明の概要】
【発明が解決しようとする課題】
【０００８】
しかしながら、このような採光板は一方側からの光を他方側に透過させるだけのものであるから、一方側と他方側の採光板は、通常一枚の採光板で共用される。
【０００９】
したがって、このような採光板を有する間仕切家具がベッド間に設置された場合、窓側（明るい側）のベッド空間は、窓からの採光に加え、室内の天井に備えた照明器具からの明かりが、直接的に取り入れられるが、廊下側（暗い側）のベッド空間の壁面には窓を備えていないため、室内の天井に備えた照明器具からの直接的な明かりと、間仕切家具の採光板を透過した窓側（明るい側）のベッド空間からの採光のみで、窓側（明るい側）のベッド空間と廊下側（暗い側）のベッド空間における採光環境に大きな違いが発生していた。
【００１０】
そのため、廊下側のベッド空間を明るくするため採光板の面積を大きく取ると、採光板越しに他方側の人影が見えやすくなり、プライバシー空間が保たれず落ち着きに欠けるといった問題も発生する。
【００１１】
本発明は、このような問題点に鑑み、間仕切家具が設置されていても、間仕切りとしての機能を十分に有しながら、両側のベッド空間の明るさに極端な差を生じさせない使い勝手に優れた間仕切家具を提供することを課題とする。
【課題を解決するための手段】
【００１２】
そこで、上記課題を解決する為、本発明が第１の手段として構成したところは、室内に複数台配設されたベッド間に設置され、ベッド間を仕切る方向に立設する上仕切壁を備えた間仕切家具において、上仕切壁の上部に光を採り入れる採光口を備え、ベッドに面する上仕切壁の一面に、採光口から採り入れられた光をベッド側に照射する投光部を採光口とは別個に備えるとともに、上仕切壁の内部に採光部と投光部をつなぐ光伝達部を備え、採光口から採り入れられた光が、光伝達部をとおして投光部からベッド空間に照射されるものである。
【００１３】
次に、上記課題を解決する為、本発明が第２の手段として構成したところは、室内に複数台配設されたベッド間に設置され、ベッド間を仕切る方向に立設する上仕切壁を備えた間仕切家具において、上仕切壁の上部に光を採り入れる採光口を備え、ベッドに面する上仕切壁の両面に、採光口から採り入れられた光をベッド側に照射する投光部を採光口とは別個に備えるとともに、上仕切壁の内部に採光口と投光部をつなぐ光伝達部を備え、採光口から採り入れられた光が、光伝達部をとおして投光部からそれぞれのベッド空間に照射される照射量を一方側より他方側が多くなるようにしたものである。
【００１４】
次に、上記課題を解決する為、本発明が第３の手段として構成したところは、第１の手段又は、第２の手段に加え、上仕切壁の光伝達部に、採光口より採り入れられた光を受け投光部側に反射させる反射板を備えたものである。
【００１５】
次に、本発明が第４の手段として構成したところは、第１の手段、又は、第２の手段、又は第３の手段に加え、採光口に光を集める集光装置を備えたものである。
【００１６】
次に、本発明が第５の手段として構成したところは、第１の手段、又は、第２の手段、又は、第３の手段に加え、病室の外部の光を採り入れ、該光を伝達し、伝達した光を採光口に照射する光伝達装置を備えたものである。
【発明の効果】
【００１７】
第１の手段としての構成によると、採光口と投光部を別に設ける事により、間仕切家具の投光部から照射される光は、他方のベッド空間の明るさに直接影響されることがなく、それぞれのベッド空間を使用者の好みに応じた明るさで使用する事ができる。
又、一方側しか投光部が設けられていないので、他方側の人影を気にする事なく使用できる。
【００１８】
又、窓を備えていない廊下側ベッド空間に投光部が面するように間仕切家具を設置すると、廊下側のベッド空間の明るさを確保しつつ、窓側のベッド空間の明るさの一部を採光口から採り入れ、投光部から廊下側のベッド空間に照射できるので、廊下側のベッド空間と窓側のベッド空間の採光環境の大きな違いを緩和することができる。
【００１９】
第２の手段としての構成によると、採光口と投光部を別に設けているので、両側のベッド空間側の投光部のそれぞれの位置を、水平方向あるいは垂直方向にずらして形成することで、他方のベッド空間の明るさに直接影響される事がなく、又、他方側の人影を気にする事なく使用することが出来る。
【００２０】
又、上仕切壁の両面側に設けられるそれぞれの投光部の大きさを変えたり、投光部の大きさが同じであっても投光部に設けられる透過板の質（色、形状等）を変える事により、それぞれのベッド空間に照射される照射量が一方側より他方側が多くなるようにしているので、上仕切壁の両面側をそれぞれで異なった明るさに設定して使用する事ができる。
【００２１】
そして、照射量の多い方を廊下側のベッド空間側に、他方を、窓を備えた窓側のベッド空間側に面するように設置することによって、廊下側のベッド空間と窓側のベッド空間の採光環境の違いを緩和することができる。
【００２２】
第３の手段としての構成によると、第１の手段としての構成による効果に加え、反射板の角度、形状の設定により、反射板が受けた光を意図した方向に照射することができるので、採光口から採り入れられた光を確実に投光部から照射することができる。
【００２３】
第４の手段としての構成によると、第１の手段としての構成、第２の手段としての構成による効果に加え、採光口の大きさに対してより多くの光を集めることができるので、投光部からの照射量を多くすることができる。
【００２４】
第５の手段としての構成によると、第１の手段としての構成、第２の手段としての構成による効果に加え、間仕切家具が設置された病室の外部の光（太陽光など）を、投光部から照射することができるので、投光部からの照射量を多くすることができる。
【図面の簡単な説明】
【００２５】
【図１】本発明の第１実施例の間仕切家具の使用例を示す斜視図。
【図２】本発明の第１実施例の間仕切家具の斜視図。
【図３】本発明の第１実施例の間仕切家具の正面図。
【図４】本発明の第１実施例の間仕切家具の背面図。
【図５】図３のＡ−Ａ線断面図。
【図６】図３のＢ−Ｂ線断面図。
【図７】図３のＣ−Ｃ線断面図。
【図８】配線の接続状態を示す要部拡大斜視図。
【図９】図５のＡ部拡大図。
【図１０】本発明の第２の実施例を示す概略図。
【図１１】光伝達ケーブルの構成を示す断面斜視図。
【図１２】図１０のＢ部拡大図。
【図１３】本発明の第３実施例の間仕切家具の正面図。
【図１４】本発明の第３実施例の間仕切家具の背面図。
【図１５】図１３のＤ−Ｄ線断面図。
【図１６】第３実施例における光の入射と反射と投光のイメージを示す断面図。
【図１７】図１５の断面における光の入射と反射と投光のイメージを示す図。
【図１８】補助採光板を設置した時の光の入射と反射と投光のイメージを示す断面図。
【図１９】第一、第二反射板を設けない状態における光の入射と反射と投光のイメージを示す断面図。
【図２０】第二反射板のみを設けた状態における光の入射と反射と投光のイメージを示す断面図。
【発明を実施するための形態】
【００２６】
本発明は、ベッド間を仕切る方向、すなわちベッドの長尺方向と平行な方向を、左右方向とし、左右方向に延び、所定高さに形成された天板と、該天板の左右両端部にそれぞれ配置された板状の脚体と、前記天板の上方の空間に配設される、収納装置を備え、天板を前後方向に仕切る上仕切壁と、天板の下方の空間に配設される、収納装置を備え、天板の下部空間を前後に仕切る下仕切壁で構成され、上仕切壁の上部に光を採り入れる採光部を備え、採光部から採り入れられた光をベッド空間に照射する投光部を、上仕切壁の鉛直面に備え、採光部より採り入れられた光を受け投光部側に反射させる反射板を、上仕切壁の内部に備えるとともに、採光部に光を集め、集めた光を採光部に照射する集光装置、あるいは建屋外から光を採り入れ、光を伝達し、伝達した光を採光部に照射する照射部が取付けられる間仕切家具である。
【００２７】
以下、第１実施例の間仕切家具を添付図面に基づいて詳述する。
【００２８】
本発明に係る間仕切家具１は、図１に示すように、病室の大部屋や介護・養護施設の多床室のベッドの間に設置し、患者のプライバシー空間を形成するものである。
【実施例１】
【００２９】
第１実施例の間仕切家具１は、廊下側壁面（図示せず。）と建屋外を臨む窓Ｓ側壁面と、廊下側壁面と窓Ｓ側壁面の端部をつなぐ壁面Ｗで形成された病室で使用されるものであって、壁面Ｗ側を枕元側にして、廊下側壁面に平行に設置されるベッドＢ１と、窓Ｓ側壁面に平行に設置されるベッドＢ２との間に、ベッドの長尺方向と平行に配設されるものである。
【００３０】
間仕切家具１は、ベッド間を仕切る方向、すなわちベッドＢ１、Ｂ２の長尺方向を左右方向とし、左右方向に延びる所定高さに位置する天板１０と、該天板１０の左右両端部のそれぞれに取付けられる板状の脚体１１、１１と、天板１０の上方に形成され天板１０の上方を前後に仕切る上部仕切体１２と、天板１０の下方に形成され天板１０の下方を前後に仕切る下部仕切体１３を備えている。
【００３１】
上部仕切体１２は、天板１０の前後方向略中央部上に立設される上仕切壁１２１と、上仕切壁１２１の左右方向のやや壁面Ｗ側で上方に位置する前後一対の上部収納装置１２２、１２２を備えており、該上部収納装置１２２、１２２の下面と天板１０の上面との間にはテレビが設置できる程度の空間が設けられている。
【００３２】
上部収納装置１２２は、上板１２２ａと左右の側板１２２ｂ、１２２ｂと底板１２２ｃと背板１２２ｄにより前面側が開口状態の筐体であって、該前面側が開き戸式扉１２２ｅ、１２２ｅで閉塞されている。
【００３３】
下部仕切体１３は、天板１０の前後方向略中央部の下方に設けられる下仕切壁１３１と、前後一対の下部収納装置１３２、１３２を備えている。
【００３４】
下部収納装置１３２は、上板１３２ａと左右の側板１３２ｂ、１３２ｂと底板１３２ｃと背板１３３ｄにより前面側が開口状態の筐体であって、該前面側が開き戸式扉１３２ｅ、１３２ｅで閉塞されている。
【００３５】
上部収納装置１２２と下部収納装置１３２の前面の開口部は、引き戸式扉や、開き戸式扉、シャッター式扉などの閉塞手段で閉塞してもよく、閉塞手段を用いずオープン型の収納としてもよい（図示せず）。
【００３６】
そして、間仕切家具1のベッドの足元側となる端部には、間仕切家具1と略同じ高さの仕切パネル１０２が、上仕切壁１２１、下仕切壁１３１と直行するように取付けられ、足元側からの視線を遮っている  
【００３７】
下部収納装置１３２でベッドの足元側とベッドの枕元側とに区切られた下仕切壁１３１のうち、ベッドの足元側の所定場所には、半透明の樹脂製の採光板１３１ａが嵌め込まれ、採光性が保たれているが、採光板１３１ａは病室のレイアウトや照明器具の配置に応じて、半透明、不透明を使い分けてよい。
【００３８】
次に、天板１０は、ベッドの足元側の天板１０ａと、上部収納装置１２２の下部側の天板１０ｂと、ベッドの枕元側、すなわち室内の壁面Ｗ側の天板１０ｃに分けられ、足元側の天板１０ａは、該足元側の天板１０ａの下方部にチェア１００を配設することにより、患者用デスクとして使用され、上部収納装置１２２の下方側の天板１０ｂは、主にテレビなどの機器が載置される載置台として使用され、壁面Ｗ側の天板１０ｃは、主に看護師用の作業台として使用され、血圧計などの小型の装置を置き、吸引ビン交換準備といった時に一時的に利用される。
【００３９】
足元側の天板１０ａの左右幅は、椅子が収納できる程度であり、奥行き寸法は、Ａ４用紙を横向きに置き筆記ができる程度大きさで、具体的には２２０ミリメートルから３００ミリメートルであり、患者の移動時に障害にならないように配慮されている。
当然のごとく病室スペースに余裕がある場合は、天板の奥行き寸法を大きくしても構わない。
【００４０】
壁面Ｗ側の天板１０ｃは、天板を貫通する貫通孔１０ｄを備え、該貫通孔１０ｄは、開閉自在な出入口１０１ａを備えた閉塞蓋１０１で閉塞される。
【００４１】
貫通孔１０ｄの下方部の下仕切壁１３１には、前記配線を通す配線空間１３１ｂが設けられ、配線空間１３１ｂ前面側は、開閉自在なメンテナンスパネル１３１ｃで閉塞される。
【００４２】
壁面Ｗ側の天板１０ｃ側の前記脚体１１には、配線空間１３１ｂに連通する貫通孔の接続開口１１ａが設けられ、室内の壁面Ｗに、接続開口１１ａに臨む雌型接続端子Ｗ１が設けられている。
【００４３】
必要に応じて、間仕切家具１の天板１０の上に設置されるテレビや照明器具やパソコン等の電子機器の電気、通信電波等の配線１０１を、出入口１０１ａより挿入し、配線空間１３１ａを通し、接続開口１１ａより雌型接続端子Ｗ１に接続する。
【００４４】
このように、配線は、極力外部に露出しないように間仕切家具内を通り、埃などの付着を防ぐことができるので、院内感染の防止に役立つ。そしてメンテナンスパネルの開閉により、配線と雌型接続端子Ｗ１が簡単に着脱可能なので、簡単に間仕切家具を移動することができる。
【００４５】
したがって間仕切家具は、病室内に固定せず、脚体の下面にアジャスター脚１１１やキャスターを設けて、容易に移動可能な状態で設置するといった使い方ができる。
尚、配線空間の一部を区切って収納部にすることも可能である。その場合メンテナンスパネルは、収納部の扉としても使用される。
【００４６】
実施例では、上仕切壁１２１と下仕切壁１３１は、天板１０によって上下に分割されているが、上仕切壁１２１と下仕切壁１３１を上下方向に一体に一つの仕切壁として形成し、前後面の所定高さに前後一対の天板を連結して構成することも可能である。
この場合、天板上方が上仕切壁、天板下方が下仕切壁となる。
又、前後面に天板を連結しない場合は、ベッド高さを基準として、上方部分が上仕切壁、下方部分が下仕切壁となる。
【００４７】
上仕切壁１２１は、片方のベッド側に面し、所定の厚みを有する正面視横長長方形の正面板１２１ａと、他方のベッド側に面し、正面板１２１ａに対して前後方向に所定の間隔をあけて配置される、所定の厚みを有し正面板１２１ａと同じ外側寸法の横長長方形の背面板１２１ｂと、正面板１２１ａと背面板１２１ｂの左右端部間を閉塞する縦枠１２１ｃ、１２１ｃと、正面板１２１ａと背面板１２１ｂの上部端部間を閉塞する上枠１２１ｄとから成り、内部を空洞とした光伝達部１２１ｅ（図５に示す。）を形成するように構成されている。
【００４８】
そして上仕切壁１２１は、ベッドの足元側の上方に、光を採り入れる開口部を有する採光部１４を備え、ベッドの足元側の鉛直面の所定場所に、採光部１４から採り入れられた光をベッド空間に照射する投光部１５を備えており、採光部１４と投光部１５の間は、前記光伝達部１２１ｅによって上仕切壁１２１の内部でつながっている。
【００４９】
採光部１４は、前記上枠１２１ｄの一部に設けられた平面視、横長長方形の上部開口１４１ａと、前記背面板１２１ｂの上部に設けられた前記開口１４１ａと連続する鉛直部開口１４１ｂで形成される採光口１４１と、光伝達部１２１ｅの前記鉛直部開口１４１ｂの対向側に面した位置に、採光口１４１から採り入れられた光を、後述する第二反射板１５３に向って反射する第一反射板１４２で構成されている。
【００５０】
第一反射板１４２は、高さ寸法が鉛直部開口１４１ｂ高さ寸法と同等以上であって、幅寸法が上部開口１４１ａあるいは鉛直部開口１４１ｂの長辺寸法と略同じであり、金属板や樹脂で薄板状に形成されるものである。
【００５１】
尚、第一反射板１４２の左右両端は、鉛直部開口１４１ｂに向って折り曲げられ、第一反射板１４２の左右両端部付近より光伝達部１２１ｅの上方に通じる開口部が閉塞され、光伝達部１２１ｅの上方左右方向への光の漏れを防ぎ、光伝達部１２１ｅの下方に向かって光を反射している。
【００５２】
第一反射板１４２の断面は、上部開口１４１ａの最奥側の下方部付近から鉛直部開口１４１ｂの対向側にむかって水平に延伸する上部取付面１４２ａと、該上部取付面１４２ａ延伸端部から下方に向って曲面を形成しながら約９０度曲げられた上部曲面１４２ｂと、
【００５３】
該上部曲面１４２ｂ下端部から鉛直部開口１４１ｂの対向側に向って曲面を形成しながら下方に延伸する下部曲面１４２ｃと、該下部曲面１４２ｃ延伸端部から下方にむかって垂直に延伸する下部取付面１４２ｄとが連設された形状である。
【００５４】
このように第一反射板１４２は、採光口１４１より採り入れられた光を、第一反射板下方部に設置された後述する第二反射板１５３に確実に導く形状に形成され、上部取付面１４２ａの下面側と上部曲面１４２ｂと下部曲面１４２ｃと下部取付面１４２ｄの鉛直部開口１４１ｂ側の面は、光の反射率の高い白色または鏡面状に仕上げられる。
【００５５】
採光口１４１は、採光口１４１から光伝達部１２１ｅにほこりやゴミが進入しないように、透明な樹脂板１６で覆われている。
【００５６】
尚、採光口１４１の長辺側（左右方向の）寸法は、後述する投光部１５と略同じ長さであるが、採光口１４１の長辺側寸法を、上仕切壁１２１の左右幅と略同じ幅となるまで拡大することにより、採光量を増やすことができるのは言うまでもない。
【００５７】
また、採光部１４の上部側にも上部開口１４１ａを設けているのは、天井灯などの光をより多く採光するためのものであり、上部開口１４１ａから採り入れられた光は、第一反射板１４２を介さずに直接、後述する第二反射板１５３に導かれ、最終的に投光部１５よりベッド側に照射される。
【００５８】
投光部１５は、前記正面板１２１ａの鉛直面に開けられた投光口１５１と、投光口１５１を閉塞する透過性のある投光口パネル１５２で構成されている。そして、前記光伝達部１２１ｅには第一反射板１４２に対応して第二反射板１５３が設けられている。
【００５９】
第二反射板１５３は、投光口１５１と略同じ外側寸法の平板状であって、投光口１５１に臨む第二反射板１５３の面が、やや上向きに起立した状態で設置されており、具体的には、第二反射板１５３の下端部が投光口１５１寄りで上端部が投光口１５１の対向面、すなわち前記背面板１２１ｂの内面側寄りに設置され、第一反射板１４２が反射した光あるいは採光口１４１から採り入れられた直接光を受け、その光を投光口１５１側に反射させる角度に設定されている。
そして、第二反射板１５３の投光口１５１側の面は光の反射率の高い白色または鏡面状に仕上げられ、反射面１５３ａとされる。
【００６０】
尚、実施例１において、投光口１５１は、正面視、縦長長方形で、前記上部収納装置１２２によってベッドの足元側とベッドの枕元側とに区切られた上仕切壁１２１のうち、ベッドの足元側の上仕切壁１２１に、四方縁を残して設置されているが、光の照射量の設定に応じて、投光口１５１の大きさ、形状、個数は適宜設定される。
また、投光口パネル１５２の透明度や色や柄も光の照射量の設定に応じて適宜選択される。
【００６１】
上仕切壁１２１には、投光部１５の前面を遮蔽できるカーテン１７が開閉自在に吊設され、必要に応じて投光部１５からの光を遮ることができる。
尚、カーテン１７の代わりにブラインドや扉を設けてもよい。
【００６２】
符号１９は採光部１４に設けられた集光装置を示し、集光装置１９は、室内の光を集め、採光部１４の採光口１４１を通して第一反射板１４２に集めた光を照射するものであり、採光口１４１の左右両端付近に設けられたブラケット１９ａ、１９ａと、該ブラケット１９ａに水平軸方向に回動自在に取付けられるレンズフレーム１９ｂと、該レンズフレーム１９ｂにはめ込まれ、採光口１４１の開口面積より大きな面積を持つ集光レンズ１９ｃで構成される。
【００６３】
集光レンズ１９ｃは、凸レンズであって、室内の光が集光レンズ１９ｃに入射し、入射した光が集光レンズ１９ｃ内を通過したのち集束され、第一反射板１４２（具体的には下部曲面１４２ｃ）に照射される。
第一反射板１４２に照射された光は、前述の通り、第一反射板１４２によって第二反射板１５３に導かれ、最終的に投光口１５１よりベッド側に照射される。
【００６４】
このように集光装置１９を設けることにより、採光口１４１のみから採り入れられる光に比べより多くの光を集めることができるとともに、集光レンズ１９ｃは水平軸方向に回動自在であるから、集光レンズ１９ｃ入射面側を、室内のより多くの光を発する方向にむけることにより、光を確実に集めることができる。
【００６５】
また、間仕切家具１が備える収納装置の配置などにより採光口１４１の開口面積が大きくとれない場合であっても、採光口１４１の開口面積より大きい面積の集光面を持つ集光レンズを設置することにより確実に光を集めることができる。
【００６６】
集光レンズ１９ｃは凸レンズであるが、凸レンズの代わりに光の入射面側が平面状に形成され、透過した光を集束する集光板を使用することもできる。  
【００６７】
本発明の第１実施例の間仕切家具１は、上記の如く構成され、通常、病室の大部屋や介護・養護施設の多床室のベッド間に設置し、患者のプライバシー空間を確保する間仕切りとして使用される。
【００６８】
前述の通り、間仕切家具１は、ベッドの長尺寸法と略同じ長さに設定されており、別途、ベッドの足元側にベッドと直行するように、天井に、天井から略床面までの高さの間仕切カーテンが吊下げられ、ベッド周りは間仕切家具１と間仕切カーテンで囲まれ個室風の雰囲気を醸し出すことが可能となる。
【実施例２】
【００６９】
本発明の第２実施例（図１０に示す。）の間仕切家具１は、第１実施例の集光装置１９に代え、採光部１４に光伝達装置２０を設けたものである。
【００７０】
光伝達装置２０は、室内の窓際あるいは建屋外に設置され、太陽光を集光する集光部２０１と、集光部２０１で集められた光を伝達する光伝達ケーブル２０２と、光伝達ケーブル２０２で伝達された光を採光口１４１に照射する、照射部２０３で構成される。
【００７１】
光伝達ケーブル２０２は、内部が光ファイバー２０２ａで外装部が皮膜２０２ｂで覆われたケーブル状のものであって、両端部は、光ファイバー２０２ａの端面が露出して、光が入射、照射できるように施されており、一端部が後述する集光接続部２０１ｃに接続され、他端部が後述する照射接続部２０３ｂに接続される。
【００７２】
集光部２０１は、建物の壁面に固定される基材２０１ａと、該基材２０１ａに取付けられる集光レンズを備えた集光体２０１ｂと、光伝達ケーブル２０２の端面が集光体２０１ｂの集光レンズの焦点に面するように光伝達ケーブル２０２を接続保持する集光接続部２０１ｃで構成される。
【００７３】
照射部２０３は、採光口１４１を覆う本体２０３ａと、光伝達ケーブル２０２の端部が第一反射板１４２に向くように接続保持する照射接続部２０３ｂで構成される。
【００７４】
尚、第１実施例では、採光部１４が透明な樹脂板１６で覆われているが、第２実施例においては、採光部１４が本体２０３ａで覆われているため、樹脂板１６は省かれる。
【００７５】
このように構成された光伝達装置２０によって、集光レンズ２０１ｂで集められた太陽光は、集光体２０１ｂの集光レンズ内を通過したのち集束され、光伝達ケーブル２０２の端面に照射され、光伝達ケーブル２０２によって伝達され、照射部２０３に接続された光伝達ケーブル２０１ｂの端面から第一反射板１４２（具体的には下部曲面１４２ｃ）にむかって照射される。
第一反射板１４２に照射された光は、前述の通り、第一反射板１４２によって第二反射板１５３に導かれ、最終的に投光部１５よりベッド側に投光される。
尚、光伝達ケーブル２０２の端面のうち照射側に光を拡散するレンズを設置すれば、光を拡散して第一反射板１４２に照射することができる。
前記の光伝達ケーブル２０２の端面からから照射される光は、第二反射板１５３に直接照射してもよい。
【００７６】
光伝達ケーブル２０２は、建物の天井面や天井内、あるいは壁面内などを通すことができるため、集光装置２０１を屋上に設置して光を伝達したりすることもできる。
また、光伝達ダクトは、光ファイバーを用いず、内面が反射鏡のように光を反射するように施された筒状のダクトを使用することもできる。
【００７７】
上記のように、採光口と投光口が別個に設けられているため、第１、第２実施例のように、上仕切壁の片面のみに投光口を設置すれば、採光口から採り入れられた光を片面のみに照射することができる。
【実施例３】
【００７８】
本発明の第３実施例（図１３〜図１５に示す）の間仕切家具１は、第１実施例、第２実施例の投光部１５が上仕切壁１２１の正面板１２１ａ側にしか形成されていなかったが、背面板１２１ｂ側にも設けたものである。
【００７９】
すなわち、投光口１５１が設けられた正面板１２１ａの対向面側、すなわち背面板１２１ｂの鉛直面の第二反射板１５３を避けた所定の箇所に、背面投光口１５４と該背面投光口１５４を閉塞する半透明の背面投光口パネル１５４ａを設けることにより、第一反射板１４２により反射された光を、直接的に背面投光口１５４からベッド側に照射するものである。
【００８０】
この場合、採光口１４１の左右幅に対して、投光口１５１の左右幅は小さく設定され、投光口１５１と背面投光口１５４の左右幅の和が、採光口１４１の左右幅とほぼ等しくなるように設定される。
したがって、採光口１４１から採り入れられた光は、投光口１５１と背面投光口１５４に分配されて、両側のベッド側空間に照射される。
【００８１】
このように、採光口と投光部が別個に設けられているため、採光口から採り入れられた光を両側のベッド空間に照射することができる。
この場合は、投光口の大きさ、位置をそれぞれの面で別個に設定することができる。
【００８２】
すなわち、窓側のベッド空間に小さな投光口を設置し、廊下側のベッド空間に大きな投光口を設置すれば、小さな投光口に比べ大きな投光口は、光の照射量を多くすることができるから、窓側と廊下側のベッド空間の明るさバランスを保つことができる。
【００８３】
又、仕切壁の光伝達部内に第一反射板あるいは第二反射板を設置すると、採光口より採光した光をより確実に投光部から照射することもできる。
また、図１９に示すように、上仕切壁の光伝達部内に第一反射板、第二反射板を設置しない構成や、図２０に示すように第二反射板１５３のみを設置する構成など、照射する光の必要量に応じて適宜最適な構成を選択することができる。
尚、反射板を設置しない場合は、上仕切壁の内面を白色などの反射しやすい色に形成したほうがよい。
さらに図１８に示すように、明るさの調整のため、投光口１５１の上に一方側と他方側で双方向に光を透過させる補助採光板１８を設置してもよい。
【産業上の利用可能性】
【００８４】
以上のように、本発明は、病室の大部屋や介護・養護施設の多床室のベッド間に設置し、患者のプライバシー空間を確保する間仕切家具にかかわるものであり、間仕切機能に加え、投光部を有し、採光性が保たれるとともに、収納装置、患者用デスク、看護師用の作業台ならびに電気、通信電波等の供給端子が具備されるから、病室の大部屋や介護・養護施設の多床室の患者のプライバシー空間を確保する間仕切りとして広く利用することができる。
【符号の説明】
【００８５】
Ｂ１              廊下側ベッド
Ｂ２              窓側ベッド
Ｗ                壁面
Ｓ                窓
１                間仕切家具
１２              上部仕切体
１３              下部仕切体
１４              採光部
１４１            採光口
１５              投光部
１５１            投光口
１９              集光装置
２０              光伝達装置
【図１】
2012231990.tif 000003
【図２】
2012231990.tif 000004
【図３】
2012231990.tif 000005
【図４】
2012231990.tif 000006
【図５】
2012231990.tif 000007
【図６】
2012231990.tif 000008
【図７】
2012231990.tif 000009
【図８】
2012231990.tif 000010
【図９】
2012231990.tif 000011
【図１０】
2012231990.tif 000012
【図１１】
2012231990.tif 000013
【図１２】
2012231990.tif 000014
【図１３】
2012231990.tif 000015
【図１４】
2012231990.tif 000016
【図１５】
2012231990.tif 000017
【図１６】
2012231990.tif 000018
【図１７】
2012231990.tif 000019
【図１８】
2012231990.tif 000020
【図１９】
2012231990.tif 000021
【図２０】
2012231990.tif 000022